(57)【要約】【目的】検知した磁気発生体の操作時間を累積することにより、不正行為の正確な検知をすることを可能とする、遊技機の不正行為検知装置を提供することを目的としている。【構成】遊技機の不正行為検知装置であって、遊技機の遊技盤の近傍に配置されて、磁気に感応して感磁信号を生成する磁気センサと、前記感磁信号の継続時間が閾値を超えたことを判別したときに警報を発する判定部と、を有し、前記判定部は、単位時間当たりの単位値を時間経過に従って累積して得られる累積値が当該閾値を超えたことを検知して前記警報を発することを特徴とする。【選択図】図5
2008167971.tif 000002
【特許請求の範囲】
【請求項１】
遊技機の不正行為検知装置であって、
遊技機の遊技盤の近傍に配置されて、磁気に感応して感磁信号を生成する磁気センサと、
前記感磁信号の継続時間が閾値を超えたことを判別したときに警報を発する判定部と、を有し、
前記判定部は、単位時間毎の単位値を時間経過に従って累積して得られる累積値が当該閾値を超えたことを検知して前記警報を発することを特徴とする遊技機の不正行為検知装置。
【請求項２】
前記判定部は、前記感磁信号の不存在期間の長さに応じた値だけ前記累積値を減ずることを特徴とする請求項1記載の遊技機の不正行為検知装置。
【請求項３】
前記判定部は、前記感磁信号の不存在期間の長さに応じて、前記累積値を急減又は漸減せしめることを特徴とする請求項2の遊技機の不正行為検知装置。
【発明の詳細な説明】
【技術分野】
【０００１】
本発明は、遊技機に対する磁気による不正行為を検知する遊技機の不正行為検知装置に関する。
【背景技術】
【０００２】
従来、パチンコ機に代表される弾球遊技機に対して、様々な器具を使い、不正に出玉を獲得する遊技者による不正行為が知られている。不正行為の具体的な例は、磁石、電波、セル板、ピアノ線若しくは体感器等の道具を使用する不正行為がある。近年においては、小型の永久磁石が容易に入手できるため、小型の磁石を手に隠し、この磁石を使用して遊技球をガラス越しに特定の入賞口等に誘導し入賞させる不正行為が多発している。
【０００３】
かかる磁石を使用した不正行為の対策として、磁気センサを用いて一定の磁気を検知した場合に、報知を行うものが知られている（特許文献1及び2参照）。特許文献1に記載された不正行為検知装置は、磁気センサ及び磁性体を組み合わせることで、磁気を高感度で検知可能である。従って、弱い磁力の磁石による不正行為についても、検知することが可能となっている。
【０００４】
特許文献2に記載された不正行為検知装置は、磁気センサ及び警告灯を有している。従って、かかる不正行為検知装置は、磁石を遊技機に近づけると、パチンコ機のガラス枠内部に配置された磁気センサにより不正行為を検知する。その後、かかる不正行為検知装置は、遊技機の上部に設けられた警告灯によりかかる不正行為の報知を行う。
【特許文献１】特開平5-212152号公報
【特許文献２】特開2001-714号公報
【発明の開示】
【発明が解決しようとする課題】
【０００５】
特許文献1及び2に記載された不正行為検知装置は、磁気センサが所定の強さ磁気を検知した場合に報知を行う。かかる不正行為検知装置は、磁気センサの感度を上げると、不正行為以外の磁気を検知してしまう誤作動が起こる可能性がある。一方、磁気センサの感度を下ると、かかる不正行為による磁石の使用の検知が、困難になってしまう問題がある。
【０００６】
また、特許文献1及び2に記載の不正行為検知装置では、不正行為の有無を判別するために設定された、磁石の使用の継続操作時間の閾値を越えずに、磁石を所定の間隔で操作するような不正行為の検知が困難になってしまう問題もある。
【０００７】
本発明は、以上の如き事情に鑑みてなされたものであり、検知した磁気発生体の操作時間を累積することにより、不正行為の正確な検知をすることを可能とする、遊技機の不正行為検知装置を提供することを目的としている。
【課題を解決するための手段】
【０００８】
遊技機の不正行為検知装置であって、遊技機の遊技盤の近傍に配置されて、磁気に感応して感磁信号を生成する磁気センサと、前記感磁信号の継続時間が閾値を超えたことを判別したときに警報を発する判定部と、を有し、前記判定部は、単位時間毎の単位値を時間経過に従って累積して得られる累積値が当該閾値を超えたことを検知して前記警報を発することを特徴とする。
【発明を実施するための最良の形態】
【０００９】
以下、本発明の実施例としての不正行為検知装置を含むパチンコ機について、添付図面を参照しつつ詳細に説明する。
【００１０】
図1から判るように、パチンコ機10は、本体基部となる本体枠11と、本体枠11の内部に配置された遊技盤12と、遊技盤12の前方に設けられていて本体枠11に対して開閉自在な前面枠13と、を有する。遊技盤12は、その盤面上にガイドレール14で囲まれた遊技領域12aを備えており、かかる遊技領域12aに向けて遊技球が打ち出される。前面枠13の下方には、下扉枠15が設けられている。下扉枠15には、遊技者が保有する遊技球を収容する受け皿15aと、遊技球の発射の制御及び発射強度を制御するためのハンドル16と、が設けられている。
【００１１】
遊技盤12には、遊技球の流下方向を変化せしめる多数の遊技釘が植設され、更には、風車等の役物及びチャッカー（いずれも図示せず）が設けられている。また、遊技盤12の最下部には入賞しなかった遊技球を回収するアウト口（図示せず）が設けられている。また、遊技盤12のほぼ中央には、センター役物（図示せず）が設けられても良い。例えば、センター役物はいわゆる特別電動役物等の入賞領域を有する入賞装置である。さらに、遊技盤12の上方には、スピーカ17が設けられている。スピーカ17からは、遊技状態に合わせたメロディー又は音声や、遊技機の異常を告知する異常警告音等の音が発せられる。
【００１２】
図1及び図2に示されているように、遊技盤12の後方の略中央部には、磁気センサ18が設けられている。また、磁気センサ18の設置場所は、センター役物又はチャッカーの近傍の遊技盤12の後方すなわち裏側に設けても良い。磁石を利用した不正行為は、センター役物やチャッカー付近に磁石を近づけ、遊技球を入賞させる行為が大半であるため、センター役物やチャッカー付近に磁気センサを設けることで、不正行為の検知を容易にすることが可能となるからである。さらに、磁気センサ18の設置場所は、周辺の機器の設置状況に応じて、上述した場所以外に設置しても良い。例えば、遊技盤12の後方に限らず、遊技盤12の前方である遊技面側に設置しても良い。なお、磁気センサ18は、1台のパチンコ機10について1個とは限らず、1台のパチンコ機10に複数個設けても良い。
【００１３】
磁気発生体を磁気センサ18に対して所定の距離以下に近づけると、磁気センサ18は、かかる磁気発生体の磁気に感応して感磁信号を生成する。磁気センサ18は、磁気を感応している間は感磁信号を継続して生成し、生成した感磁信号を制御装置20へ送信する。また、磁気センサ18に近づけた磁気発生体を磁気センサ18から上述した所定の距離よりも遠ざけると、磁気センサ18は、磁気発生体の磁気に感応しなくなるため、感磁信号の生成を停止する。
【００１４】
図2に示されているように、遊技盤12の裏側には制御装置20を構成する回路基盤を囲むケースが設けられている。磁気センサ18からの感磁信号を受信した制御装置20は、かかる感磁信号の継続時間を時間経過に従って単位時間（例えば1秒）毎の単位値の累積をして単位時間の累積値として表す。ここで、単位時間としては、後述する不正行為検出ルーチンの1サイクルに要する時間であっても良い。また、単位値としては、デジタル値の“1”又は“10”などの正の整数値であるのが望ましい。制御装置20は、かかる累積によって得られる感磁信号の継続時間の累積値が、あらかじめ設定された閾値を越えているか否かの判別を行う。また、制御装置20は、磁気センサ18からの感磁信号が受信しない期間（すなわち不存在期間）の長さに応じて、上述した累積値を減ずることを行う。
【００１５】
かかる累積値の増減についての1例を図3を参照しつつ説明する。
【００１６】
図3の上部グラフは、時間変化による磁気センサ18の感磁信号の生成状況を示している。上部グラフ（A）の縦軸は、感磁信号の生成の有無であり、上部グラフ（A）の横軸は、時間を示し、単位はミリ秒（以後msと称する）である。図3の下部グラフ（B）は、時間変化における、感磁信号の継続時間の累積を示している。下部グラフ（B）の縦軸は、感磁信号の継続時間に応じた累積値であり、下部グラフ（B）の横軸は、時間（ms）を示している。
【００１７】
図3の上部グラフ（A）に示されているように、先ず、磁気センサ18は、1200msの間に磁気を感応し感磁信号を生成する。従って、図3の下部グラフ（B）に示されているように、感磁信号の継続時間の累積値は、時間の経過と共に増加し、1200ms経過後に1200msとなる。
【００１８】
磁気に感応した状態が1200msだけ経過すると、磁気センサ18は、磁気の不存在の故に磁気を感応しなくなり、感磁信号の生成を800ms間停止する。この800ms間は、制御装置20が感磁信号を受信することがないため、制御装置20における感磁信号の不存在期間となる。かかる感磁信号の不存在期間中に制御装置20は、感磁信号の継続時間の累積値を不存在期間の長さに応じて減少させる。従って、図3の下部グラフ（B）に示されているように、1200ms経過後から感磁信号の継続時間の累積値は、感磁信号の不存在期間の800ms間に一定の割合で減少することとなる。例えば、感磁信号の不存在期間の半数を感磁信号の継続時間の累積値から減少させるとすると、感磁信号の不存在期間である800ms（総時間2000ms）経過後には、累積値は1200msから400ms減少し800msとなる。なお、感磁信号の継続時間の累積値の単位時間当たりの減少率は、パチンコ機10の特徴及びホール状況に合わせて調整可能としても良い。従って、制御装置20は、かかる感磁信号の継続時間の累積値を感磁信号の不存在期間に応じて急減及び漸減することを可能としている。
【００１９】
さらに、感磁信号の不存在期間である800ms（総時間2000ms）経過後に、磁気センサ18は、再び磁気を感応し、600msの間に感磁信号を生成する。従って、図3の下部グラフ（B）に示されているように、感磁信号の継続時間の累積値は、800msから感磁信号の継続時間と共に増加し、600ms（総時間2600ms）経過後に1400msとなる。
【００２０】
その後も、制御装置20は、磁気センサ18からの感磁信号の受信の有無によって、感受信号の継続時間の累積値を増減させる。なお、制御装置20が長期に亘って感磁信号を受信しない場合でも、感磁信号の継続時間の累積値はマイナスになることは無いものとする。従って、感磁信号の継続時間の累積値が0msの場合には、感磁信号の不存在期間であっても、感磁信号の継続時間の累積値の減少は無いものとする。
【００２１】
感磁信号の継続時間の累積値が閾値を越えている場合（例えば、図3において累積値が1500msを越えた場合）には、不正行為が有ったとみなしスピーカ17若しくは警告灯（図示せず）によって警報を発する。例えば、スピーカ17は、警報音を発することで不正行為を報知し、警告灯は、点滅によって不正行為を報知しても良い。また、ホール内のパチンコ機10を管理しているホール管理システム（図示せず）にアラーム信号を送信して、ホール管理システム（図示せず）によって警報を発することとしても良い。なお、制御装置20の設置場所は、その他の機器の設置状況に応じて、遊技盤12の裏側中央に限らず例えば、遊技盤20の裏側下方であっても良い。
【００２２】
次に、本実施例のパチンコ機10の制御装置20の動作のうち不正行為検出動作について図4を参照しつつ説明する。図4に示されているように、制御装置20は、マイクロコンピュータ等からなり遊技機の遊技動作の制御に加えて不正行為検出動作も行う。
【００２３】
制御装置20は、ハンドル16に設けられた接触検知センサ41からの接触検知信号及びハンドル16の操作状況の信号を受信する。制御装置20は、接触検知センサ41及びハンドル16からの信号に基づいて発射装置42を駆動させる。また、制御装置20は、大当たりを検知する特定入賞検知センサ43から特定入賞検知信号を受信する。制御装置20は、かかる特定入賞検知信号を受信することで大当たり状態であることを検知し、賞球払出装置44から賞球を払い出す制御を行う。さらに、制御装置20は、遊技状態の変化に伴ってランプ等の電飾装置45等を制御する。
【００２４】
制御装置20には、遊技盤12の近傍に別々に設置されたn個（nは自然数）の磁気センサ18-1、18-2、・・・18-nから成る磁気センサ18が接続されており、制御装置20は、かかる磁気センサ18で生成された感磁信号を受信する。制御装置20は、磁気センサ18から受信した感磁信号の継続時間を時間経過に従って累積を行う。また、制御装置20は、累積によって得られる感磁信号の継続時間の累積値と、あらかじめ設定されている閾値と、を比較することで不正行為の有無の判別を行う。感磁信号の継続時間の累積値が閾値を超えた場合には、制御装置20は、スピーカ17及び警告灯46から警報を発するように、スピーカ17及び警告灯46の制御を行う。
【００２５】
次に、制御装置20における、不正行為検出ルーチンについて図5を参照しつつ説明する。
【００２６】
制御装置20は、あらかじめ設定されている感磁信号継続時間（T0）を閾値Tmaxに設定する（ステップS-1）。次に、ステップS-2において、制御装置20は、遊技盤12の近傍に設置された磁気センサ18から感磁信号が送信されたかを判定する（ステップS-2）。ステップS-2において、制御装置20が磁気センサ18から感磁信号を受信した場合には、ステップS-3に進む。一方、磁気センサ18が感磁信号を送信していない場合には、ステップS-4に進む。
【００２７】
ステップS-3において、磁気センサ18から感磁信号を受信した場合には、現在までの感磁信号の継続時間の累積値（T）に不正行為検出ルーチンの1サイクルの間（すなわち単位時間）に対応する継続時間α（すなわち単位値）を加算することで、感磁信号の継続時間の累積値（T）を更新する（ステップS-3）。次に、制御装置20は、ステップS-3で得られた感磁信号の継続時間の累積値（T）が、ステップS-1で設定された閾値（Tmax）を越えているかを判定する（ステップS-5）。
【００２８】
ステップS-5において、感磁信号の継続時間の累積値（T）が、閾値を超えている場合には、かかる磁気信号が不正行為によるものと判定され、ステップS-6に進む。一方、感磁信号の継続時間の累積値（T）が、閾値未満の場合には、リターンへ進み本ルーチンを終了する。
【００２９】
ステップS-5において、感磁信号の継続時間が閾値を越えている場合には、制御装置20は、スピーカ17及び警告灯46に不正行為があったことを報知させる指令が発せられる（ステップS-6）。その後、リターンへ進み本ルーチンを終了する。
【００３０】
また、ステップS-2において、磁気センサ18から感磁信号を受信しない場合には、感磁信号の継続時間の累積値（T）が0であるか否かを判定する（ステップS-4）。ステップS-4において、感磁信号の継続時間の累積値（T）が0の場合には、リターンへ進み本ルーチンを終了する。一方、感磁信号の継続時間の累積値（T）が0でない場合には、ステップS-7に進む。
【００３１】
ステップS-4において、感磁信号の継続時間の累積値（T）が0でない場合には、制御装置20は、感磁信号の継続時間の累積値（T）不正行為検出ルーチンの1サイクルの間に対応する継続時間αの半分（α/2）を減算することで、感磁信号の継続時間の累積値（T）を更新する（ステップS-7）。なお、ステップS-7における減算値（α/2）を機種毎及びホールなどの要素を加味して、異なる減算値を採用することとしても良い。その後、リターンへ進み本ルーチンを終了する。
【図面の簡単な説明】
【００３２】
【図１】本発明の実施例としての遊技機の外観正面図である。
【図２】本発明の実施例としての遊技機の遊技盤の裏面図である。
【図３】本発明の実施例による感磁信号に対応した累積値の増減を          示すグラフである。
【図４】本発明の実施例による遊技機の制御装置のブロック図であ          る。
【図５】本発明による遊技機の制御装置の不正行為検出ルーチンを            示すフローチャートである。
【符号の説明】
【００３３】
10    パチンコ機（遊技機）
12    遊技盤
17    スピーカ
18    磁気センサ
20    制御装置
46    警告灯
【図１】
2008167971.tif 000003
【図２】
2008167971.tif 000004
【図３】
2008167971.tif 000005
【図４】
2008167971.tif 000006
【図５】
2008167971.tif 000007